(57)【要約】【課題】微量な検体を対象とし、複数種類の生化学的解析に適用できる解析用容器を提供する。【解決手段】プレート表面に、平坦な底面１２ａを有するウェル１２が形成され、前記ウェルの底面１２ａ及び側面１２ｂが同じ材質からなり、前記ウェルの底面１２ａにおける厚みが０．１２〜０．２９ｍｍであり、前記ウェルの底面１２ａの面積が２ｍｍ２以下であり、４〜１２０℃において耐熱性を有する材質からなる解析用容器１；かかる解析用容器１を使用して、細胞イメージング、核酸増幅及び蛍光検出を含む一種以上の解析を行う生化学的解析方法。【選択図】図１
2010032487.tif 000002
【特許請求の範囲】
【請求項１】
プレート表面に、平坦な底面を有するウェルが形成された解析用容器であって、
前記ウェルの底面及び側面が同じ材質からなり、
前記ウェルの底面における厚みが０．１２〜０．２９ｍｍであり、
前記ウェルの底面の面積が２ｍｍ２以下であり、
４〜１２０℃において耐熱性を有する材質からなることを特徴とする解析用容器。
【請求項２】
前記ウェルが複数形成されていることを特徴とする請求項１に記載の解析用容器。
【請求項３】
隣り合う前記ウェルの底面中心間の距離が、２．２５ｍｍの整数倍であることを特徴とする請求項２に記載の解析用容器。
【請求項４】
マイクロタイタープレートに関するＳＢＳ規格（ＡＮＳＩ／ＳＢＳ  １）又はスライドガラスに関するＪＩＳ規格（ＪＩＳ  Ｒ  ３７０３）に対して同等以下の大きさを有することを特徴とする請求項１〜３のいずれか一項に記載の解析用容器。
【請求項５】
シクロオレフィン系樹脂又はメチルペンテン系樹脂からなることを特徴とする請求項１〜４のいずれか一項に記載の解析用容器。
【請求項６】
無色透明な材質からなることを特徴とする請求項１〜５のいずれか一項に記載の解析用容器。
【請求項７】
請求項１〜６のいずれ一項に記載の解析用容器を使用して、細胞イメージング、核酸増幅及び蛍光検出を含む一種以上の解析を行うことを特徴とする生化学的解析方法。
【発明の詳細な説明】
【技術分野】
【０００１】
本発明は、生化学分野で使用する解析用容器及び該解析用容器を使用する生化学的解析方法に関する。
【背景技術】
【０００２】
ヒトゲノムの解読は、１９８０年代後半にその計画の議論が始まり、１９９０年頃から国際協力の下に進められてきた。そして２００３年には、最初のゴールである全ゲノムの構造決定がほぼ終わり、本格的なゲノム研究時代に突入した。ゲノム研究時代を迎え、タンパク質や糖の構造・機能解析や、疾患と関連したＳＮＰｓ解析等の研究の促進がはかられている。
【０００３】
そして近年は、核酸の抽出、増幅反応、検出反応、あるいはタンパク質の検出反応などを、微量な検体を用いて小容量の容器中で行うμ−Ｔｏｔａｌ  Ａｎａｌｙｓｉｓ  Ｓｙｓｔｅｍ技術やＬａｂ−ｏｎ  Ｃｈｉｐ技術についての研究が盛んに行われている。
小容量の容器としては、スライドガラス上にプローブＤＮＡを配置し、これに検体を作用させて目的のＤＮＡの検出するようにしたもの（特許文献１参照） や、ガラスや樹脂などのプレートにウェルと呼ばれる微小な凹部を形成し、ウェル内で検出反応を行うようにしたものなどが知られている。ウェルが形成された容器としては、例えば、検出反応を行うためのウェルだけでなく、核酸増幅を行うためのウェル、さらにはこれらとは異なる目的で液体を収容するためのウェルを備えたものが開示されている（特許文献２参照）。ここでは、例えば、検出反応を行うウェルであれば、低自家蛍光性及び高光透過性等の光学特性を有するなど、各ウェルが、それぞれの用途に適した特性の材質で、適切な形状に成型されている。
【０００４】
一方、近年は、ゲノム、タンパク質、糖鎖などについて、それぞれの構造及び機能を別々に解析することの限界が議論されており、システムバイオロジーの必要性が強調されている。そのような中で、個々の細胞の機能や形状の違いを、個々の細胞における遺伝子やタンパク質の発現に関する時間的空間的挙動の解析等に基づいて、一細胞レベルで抱括的にとらえようとする試みがなされている。
上記技術分野では、これまでに様々な解析技術が提供されてきており、具体的には、細胞内の画像解析を３次元的に行う共焦点光学顕微鏡を使用する解析方法、一細胞ないし細胞数個レベル等、微量な細胞で遺伝子解析を行うＰＣＲデバイスを使用した解析方法、微量溶液中の核酸やタンパク質等の生体分子間の相互作用解析を可能とする蛍光相関分光法を使用した解析方法等が例示できる。
【先行技術文献】
【特許文献】
【０００５】
【特許文献１】特表平１１−５１２２９３号公報
【特許文献２】特開２００６−３４９５５９号公報
【発明の概要】
【発明が解決しようとする課題】
【０００６】
しかしながら、これらの解析技術に使用する解析用容器は、それぞれ目的に応じて形状に制約があるだけでなく、必要とされる光学特性、耐熱性等に応じて材質にも制約があり、共通の容器を使用して複数種類の解析を連続的に行うことが困難であるという問題点があった。さらに、その結果として、複数種類の高度な機能を複合化した解析技術や装置の開発が進展しないという問題点があった。
【０００７】
本発明は上記事情に鑑みてなされたものであり、微量な検体を対象とし、複数種類の生化学的解析に適用できる解析用容器を提供することを課題とする。
【課題を解決するための手段】
【０００８】
上記課題を解決するため、
請求項１に記載の発明は、プレート表面に、平坦な底面を有するウェルが形成された解析用容器であって、前記ウェルの底面及び側面が同じ材質からなり、前記ウェルの底面における厚みが０．１２〜０．２９ｍｍであり、前記ウェルの底面の面積が２ｍｍ２以下であり、４〜１２０℃において耐熱性を有する材質からなることを特徴とする解析用容器である。
請求項２に記載の発明は、前記ウェルが複数形成されていることを特徴とする請求項１に記載の解析用容器である。
請求項３に記載の発明は、隣り合う前記ウェルの底面中心間の距離が、２．２５ｍｍの整数倍であることを特徴とする請求項２に記載の解析用容器である。
請求項４に記載の発明は、マイクロタイタープレートに関するＳＢＳ規格（ＡＮＳＩ／ＳＢＳ  １）又はスライドガラスに関するＪＩＳ規格（ＪＩＳ  Ｒ  ３７０３）に対して同等以下の大きさを有することを特徴とする請求項１〜３のいずれか一項に記載の解析用容器である。
請求項５に記載の発明は、シクロオレフィン系樹脂又はメチルペンテン系樹脂からなることを特徴とする請求項１〜４のいずれか一項に記載の解析用容器である。
請求項６に記載の発明は、無色透明な材質からなることを特徴とする請求項１〜５のいずれか一項に記載の解析用容器である。
請求項７に記載の発明は、請求項１〜６のいずれ一項に記載の解析用容器を使用して、細胞イメージング、核酸増幅及び蛍光検出を含む一種以上の解析を行うことを特徴とする生化学的解析方法である。
【発明の効果】
【０００９】
本発明によれば、微量な検体を使用する複数種類の生化学的解析を共通の容器で行うことができる。したがって、解析工程を簡略化でき、低コストで解析できる。また、複数種類の種々の解析を複合化して行うことができるので、従来よりも高度な解析が可能となる。
【図面の簡単な説明】
【００１０】
【図１】本発明の第一の実施形態に係る解析用容器を例示する図であり、（ａ）は平面図、（ｂ）はウェルの拡大平面図、（ｃ）は（ａ）のＩ−Ｉ線における断面図である。
【図２】本発明の第一の実施形態に係る解析用容器をアダプターに装着した状態を例示する概略図である。
【図３】本発明の第二の実施形態に係る容器を例示する図であり、（ａ）はウェルの拡大平面図、（ｂ）は断面図である。
【図４】本発明の第三の実施形態に係る容器を例示する図であり、（ａ）はウェルの拡大平面図、（ｂ）は断面図である。
【図５】本発明の第四の実施形態に係る容器を例示する拡大断面図である。
【図６】実施例１における倒立顕微鏡での観察画像の撮像データであり、（ａ）はエンテロウィルスを接種していないもの、（ｂ）はエンテロウィルスを接種したものの撮像データである。
【図７】実施例１におけるＰＣＲ時のカイネティックコンピュータによる各反応領域の蛍光強度の算出結果を示すグラフである。
【発明を実施するための形態】
【００１１】
以下、図面を参照しながら、本発明について詳しく説明する。
本発明に係る解析用容器（以下、「容器」と略記することがある）は、プレート表面に、平坦な底面を有するウェルが形成された解析用容器であって、前記ウェルの底面及び側面が同じ材質からなり、前記ウェルの底面における厚みが０．１２〜０．２９ｍｍであり、前記ウェルの底面の面積が２ｍｍ２以下であり、４〜１２０℃において耐熱性を有する材質からなることを特徴とする。
【００１２】
（第一の実施形態）
図１は本発明の第一の実施形態に係る容器を例示する図であり、（ａ）は平面図、（ｂ）はウェルの拡大平面図、（ｃ）は（ａ）のＩ−Ｉ線における断面図である。
容器１は、プレートの表面に凹状のウェル１２が１２個ずつ４列に合計４８個並設されたものである。
ウェル１２は略円錐台形状であり、直径Ｄ１２の略円形状である底面１２ａから開口部１２ｃへ向けて漸次内径が拡大されている。そして、底面１２ａと開口部１２ｃの開口面とは同心状となっている。また、底面１２ａは平坦になっており、容器の裏面側から光を照射した時も、光シグナルを高精度に検出でき、光学的な解析を高精度に行うことができるようになっている。
【００１３】
容器１のうち、ウェル１２の底面１２ａにおける厚みはＴ１２、ウェル１２が設けられていない平坦面１３における厚みはＴ１３である。
隣り合うウェル１２同士は、図示するＸ軸方向及びＹ軸方向のいずれにおいても、底面１２ａの中心１２０間の距離が一様にＬ１２となるように配置されている。
【００１４】
容器１の材質は、４〜１２０℃において耐熱性を有するものである。前記温度範囲は、想定される容器１の用途の中でも、最も広範な温度変化を伴うと考えられる核酸増幅反応時の設定温度を包含する。ここで「耐熱性を有する」とは、加熱により変形、割れやひび等の形状劣化、あるいは成分の変質又は漏出等を生じないことを指す。また「核酸増幅反応」とは、例えば、ＰＣＲ（Ｐｏｌｙｍｅｒａｓｅ  Ｃｈａｉｎ  Ｒｅａｃｔｉｏｎ、ポリメラーゼ連鎖反応）法等、公知のすべての手法を指す。さらに「核酸」とは、ＤＮＡ、ＲＮＡ、その他のオリゴヌクレオチド又はポリヌクレオチド等を指す。
細胞イメージングや蛍光検出を伴う光学的な解析を行う場合には、容器は通常、４℃〜室温程度で安定であれば十分であるが、上記のような耐熱性を併せ持つことにより、容器１は光学的な解析と核酸増幅反応のいずれにも適用できる。なお、本発明において、「光学的な解析」とは、測光操作を伴う解析のことを指し、例えば、細胞の画像解析、蛍光相関分析、その他の蛍光検出を伴う解析等が挙げられ、公知のすべての解析が対象となる。
【００１５】
容器１の材質は、なかでも精密加工・成型性、光透過性、低複屈折性及び低吸湿性のすべての特性を有するものが好ましい。
精密加工・成型性を有する材質を使用すれば、微量な検体の取り扱いに好適な容器を容易に作製できる。特に、１ｍｍ以下のサイズで加工及び成型が容易な材質が好ましい。
また、光透過性及び低複屈折性を有する材質を使用すれば、細胞イメージングや蛍光検出を伴う光学的な解析を高精度に行うことができる。特に、無色透明な材質が好ましく、透明ガラスと同程度の光透過性を有する材質がより好ましい。無色透明な材質を使用することで、ノイズを低減できると共に、容器の表面及び裏面のいずれから光を照射しても解析を行うことができる。さらに、低複屈折性を有することにより、例えば、蛍光画像の結像性が向上し、その結果、細胞変性効果（ＣＰＥ）が確認し易くなるなど、検体中のウィルスの有無の確認や種類の特定を一層高精度に行うことができる。
また、低吸湿性を有する材質を使用すれば、容器の変形を抑制できる共に、ウェル中の検体を安定して保持できるので、高精度な解析が可能となる。
【００１６】
通常、生化学分野で汎用される解析用容器は、ポリカーボネート、ポリプロピレン、フッ素系樹脂、シリコン樹脂等の材質からなる。しかしこれら材質は、上記特性をすべて有するものではない。
これに対し、上記特性をすべて有し、容器１の材質として好ましいものとしては、シクロオレフィン系樹脂（例えば、日本ゼオン株式会社製のゼオネックス（登録商標）、ゼオノア（登録商標））、ポリメチルペンテン等のメチルペンテン系樹脂（例えば、三井化学株式会社製のＴＰＸ（登録商標））が例示できる。
【００１７】
ここに示すように、容器１は全体が同じ材質からなる。これにより、底面１２ａと側面１２ｂとは熱膨張係数が同じなので、ウェル１２に温度変化が生じても、応力の発生が抑制され、変形や、割れやひび等の形状劣化が抑制される。また、容器１を容易に製造できる。
なお、本発明において、容器は必ずしも全体が同じ材質からなるものでなくても良く、少なくともウェルの底面及び側面が同じ材質からなるものであれば良い。
このように、少なくともウェルの底面１２ａ及び側面１２ｂが同じ材質からなることで、容器１は、光学的な解析だけでなく、広範な温度変化を伴う核酸増幅反応にも適用できる。
これに対し、主に光学特性を重視した従来の容器（例えば、オリンパス株式会社製のガラスボトムプレート）は、細胞イメージングや蛍光検出等の光学的な解析には好適だが、ウェルの底面及び側面の材質が異なるため、変形や、割れやひび等の形状劣化が生じ易い。したがって、材質が耐熱性を有していても、結果的に容器としての耐熱性が不十分である。
【００１８】
容器１において、前記厚みＴ１２は、０．１２〜０．２９ｍｍである。このような範囲とすることにより、容器の光学特性が向上する。特に、Ｔ１２の上限を０．２９ｍｍとすることで、従来の容器よりも、光透過性及び低複屈折性等の光学特性が向上する。その結果、このような光学特性を有する材質を使用した場合と同様の効果が得られる。
そして、前記厚みＴ１２は、光学特性及び取り扱い性を考慮すると、市販品のカバーガラス（例えば、松浪硝子工業株式会社製のマイクロカバーガラス等）の厚みと同等であることが好ましく、市販品の共焦点画像解析装置（例えば、オリンパス株式会社製のＭＦ２０（商品名）等）やハイコンテンツスクリーニング装置で使用されるガラスボトムプレート（例えば、オリンパス株式会社製、ワットマンジャパン株式会社製のガラスボトムプレート）の厚みと同等であることが好ましい。このような条件を満たすためには、例えば、Ｔ１２を０．１５〜０．１９ｍｍとすれば良い。
このように、厚みＴ１２が上記範囲に設定された容器１は、光学的な解析と核酸増幅反応のいずれにも適用できる。
これに対し、ウェル底面における厚みが０．３ｍｍ以上である従来の容器（例えば、特開２００７−１７５００３号公報参照）は、細胞培養や核酸増幅反応に使用するのには好適である。しかし、細胞の画像解析装置や蛍光相互解析装置等、カバーガラスと同等の厚みの基材を介して光学的な解析を行う装置に対して使用するのには適していない。
【００１９】
また、容器１において、前記厚みＴ１３は特に限定されるものではなく、目的に応じて適宜設定し得る。ただし、熱伝導率と取り扱い性を考慮すると、０．５〜１０ｍｍであることが好ましく、１〜３ｍｍであることがより好ましい。このような範囲とすることで、容器１は、優れた熱伝導率と十分な強度とを兼ね備えたものになるので、解析精度及び取り扱い性が一層向上する。
【００２０】
容器１において、前記Ｌ１２は、例えば、ＳＢＳ規格等の規格に準拠した従来のマイクロタイタープレートにおける、隣り合うウェル底面の中心間距離と略同等であることが好ましい。そのためには、Ｌ１２を２．２５ｍｍの整数倍とすることがより好ましい。例えば、従来の１５３６穴のマイクロタイタープレートにおける前記中心間距離は約２．２５ｍｍであり、３８４穴の場合の前記中心間距離は約４．５ｍｍ、９６穴の場合の前記中心間距離は約９．０ｍｍである。
前記Ｌ１２をこのように設定することで、複数の液体試料を同時に分注するために通常使用される自動分注機（例えば、テカンジャパン株式会社製の小型自動分注機ＭＳＰ２９５０（商品名））、多連型マイクロピペット（例えば、Ｅｐｐｅｎｄｏｒｆ社製のリサーチマルチチャネル（商品名））を、容器１に対してもそのまま使用できる。これにより、多数の検体も効率良く分注でき、作業の簡略化と時間短縮が可能となる。その結果、作業ミスが低減でき、低コストで解析できる。
【００２１】
容器の厚みが薄い部位では、その部位の表面積が大きいほど、成型時や解析時の温度変化に伴って歪みが生じ、変形し易い。特に厚みが０．２９ｍｍ以下という小さい値の場合には、容器の温度変化時における熱膨張や熱収縮に伴い、大きな歪みが生じ易い。このような歪みは、容器の中でも特にウェルの底面で発生すると、解析に支障をきたし、容器が実用に適さないものとなってしまう。
そこで本発明においては、ウェル１２の底面１２ａの面積を２ｍｍ２以下としている。このようにすることで、厚みＴ１２が０．２９ｍｍ以下でも、温度変化時における底面１２ａの変形が抑制される。このように底面１２ａの平面性を維持することで、複屈折のばらつきが抑制され、光学特性が安定し、光学的な解析を高精度に行うことができる。また、容器１は、加熱を伴う解析にも好適なので、ＰＣＲ法等の核酸増幅法も適用できる。その結果、例えば、検体が微量でもウィルス等の種類の特定が容易になる。また、ウェル１２への溶液の充填量が少なくて済むので、微量な検体の解析に好適である。
本発明は、容器のウェル底面における厚みが薄い場合でも、ウェル底面の面積を所定の範囲に設定することで、温度変化に伴うウェル底面の変形を抑制できることを見出して、なされたものである。そして、ウェル底面における厚み及びウェル底面の面積を、それぞれ特定の範囲に設定して組み合わせることで、ウェル底面の変形を効果的に抑制するものである。
【００２２】
容器１において、開口部１２ｃの開口面積は特に限定されず、例えば、容器１の大きさや、ウェル１２の数等を考慮して適宜調整すれば良い。
【００２３】
容器１の大きさ、すなわちＸ軸方向の長さＬＸ及びＹ軸方向の長さＬＹは、特に限定されない。従来のマイクロタイタープレートで採用されているＳＢＳ規格（ＡＮＳＩ／ＳＢＳ  １）や、スライドガラスで採用されているＪＩＳ規格（ＪＩＳ  Ｒ  ３７０３）等のいずれかの規格に準拠して設定することが好ましい。既存の解析装置は、上記のような規格に準拠した容器の使用を前提として、容器保持部や駆動部が設計されているものが多い。そこで、大きさをこれら規格に準拠して設定することで、容器１を従来の解析装置にそのまま設置して使用できるようになる。
【００２４】
また、これら規格よりも小さい大きさの容器１であれば、例えば、アダプターを装着して従来の解析装置に設置するようにしても良い。アダプターとしては、前記ＳＢＳ規格やＪＩＳ規格等のいずれかの規格に準拠した大きさであり、容器１を保持する手段を有していれば良い。このようなアダプターに装着した状態の容器１の概略図を図２に例示する。
図２中、アダプター９は、略四角形状のプレートの４辺のうち３辺の周縁部を残すように切欠部９０を設けた、角型の略Ｃ字状プレートである。表面９Ａ及び裏面９Ｂは平坦である。そして、一端から他端へ向けて、内周上に溝９１が延設されている。容器１は、図の矢印方向から、対向する第一周縁部１Ａ及び第二周縁部１Ｂをそれぞれ、アダプター９の第一短腕部９２及び第二短腕部９３の前記溝９１に係合させつつアダプター９に挿入し、第三周縁部１Ｃをアダプター９の長腕部９４の前記溝９１により係止させることで、アダプター９に装着される。
【００２５】
溝９１の幅Ｗ１は、容器１の前記厚みＴ１３と同等か、又はＴ１３よりもやや大きい値に設定すれば良い。
そして、溝９１の深さＷ２は、容器１の前記ＬＸ及びＬＹを考慮して設定すれば良く、少なくとも第一短腕部９２及び第二短腕部９３の溝９１の底面間距離Ｚ１を、容器１のＬＸと同等か、又はＬＸよりもやや大きい値に設定すれば良い。そして、長腕部９４の溝９１の底面からこれに対して垂直な方向に第一短腕部９２又は第二短腕部９３の先端部までの距離Ｚ２を、容器１のＬＹと同等か、又はＬＹよりも大きい値に設定することが好ましい。
アダプター９の大きさ、すなわち、長腕部９４の長手方向の長さ、及び第一短腕部９２又は第二短腕部９３の長手方向の長さは、前記ＳＢＳ規格やＪＩＳ規格等の各種規格に準拠して設定すれば良い。また、アダプター９の厚みＴ９は、各種解析装置への設置のし易さ等を考慮して、適宜調製すれば良い。
【００２６】
アダプター９の材質は特に限定されないが、容器１に適用し得る材質であることが好ましく、組み合わせる容器１と同じ材質であることがより好ましい。また、核酸増幅反応等、広範な温度変化を伴う解析に使用することを考慮すると、熱伝導率が高い材質が好ましく、このようなものとして具体的には、ステンレス、アルミニウム等の各種金属又は合金が例示できる。
【００２７】
アダプター９には切欠部９０が設けられているので、容器１をアダプター９に装着してもウェル１２が露出され、アダプター９の表面９Ａ側及び裏面９Ｂ側のどちら側からでも、ウェル１２に光を照射できる。したがって、アダプター９に装着した容器１は、前記ＳＢＳ規格やＪＩＳ規格等のいずれかの規格に準拠した容器と同様に、従来の解析装置に設置できるので、解析も容易に行うことができる。
【００２８】
なお、容器１を装着するアダプターとしては、図２に例示するものに限定されず、本発明の効果を損なわない範囲内で、一部構成の変更、追加又は省略が適宜可能であることは言うまでもない。例えば、切欠部を有していれば、アダプターの形状は略Ｃ字状に限定されず、例えば、略四角形状のプレートの４辺の周縁部をすべて残すように切欠部を設けた、角型の略Ｏ字状プレートでも良い。また、ここでは、内周上に設けた溝に容器周縁部を係合させることで容器を保持する形態のアダプターについて説明したが、容器を保持する形態もこれに限定されるものではない。例えば、溝が設けられていないこと以外は上記と同様のプレート表面に、弾性を有する材質からなる爪状の止め具を複数個設け、これら止め具を使用して容器平面をプレート表面に押圧することで容器を保持するようにしても良い。
【００２９】
（第二の実施形態）
図３は、本発明の第二の実施形態に係る容器を例示する図であり、（ａ）はウェルの拡大平面図、（ｂ）は断面図である。
ここに示す容器２は、ウェル２２の側面２２ｂと、ウェル２２が設けられていない平坦面２３に沿って、その厚みが第一の実施形態よりも薄くされたものである。そして、ウェル２２の形状及び大きさは、第一の実施形態と同様である。
【００３０】
容器２２のうち、ウェル２２の底面２２ａにおける厚みＴ２２ａは、第一の実施形態におけるとＴ１２と同様である。
また、前記平坦面２３における厚みＴ２３及び側面２２ｂにおける厚みＴ２２ｂは、いずれも特に限定されるものではなく、目的に応じて適宜設定すれば良い。ただし、容器２の強度及び取り扱い性を考慮すると、Ｔ２３及びＴ２２ｂは、前記Ｔ２２ａよりもやや厚めに設定することが好ましく、０．３〜１ｍｍであることが好ましく、０．４〜０．７ｍｍであることがより好ましい。Ｔ２３及びＴ２２ｂは必ずしも同じである必要性はないが、同じである方が容器２を容易に製造できる点で好ましい。
また、容器２は、Ｔ２３が薄いため、第一の実施形態における容器１よりも熱伝導性に優れる。したがって、平坦面２３と、ウェル２２の底面側外表面２４との間の距離（すなわち、容器２の平坦面２３における高さ）Ｈ２３は、主に取り扱い性を考慮して設定すれば良く、０．５〜１２ｍｍであることが好ましく、２〜５ｍｍであることがより好ましい。このような範囲とすることにより、解析精度及び取り扱い性が一層向上する。
【００３１】
上記の点以外は、容器２は、第一の実施形態と同様である。
【００３２】
（第三の実施形態）
図４は、本発明の第三の実施形態に係る容器を例示する図であり、（ａ）はウェルの拡大平面図、（ｂ）は断面図である。
ここに示す容器３は、プレートの表面に凹状のウェル３２が並設され、ウェル３２が設けられていない面が平坦面３３とされている点は第一の実施形態と同様であるが、ウェル３２の形状が第一の実施形態と異なる。ウェル３２は、略円錐台形状の凹部が二つ積重ねられた形状であり、平坦面３３側のウェル上部３２１は、これよりも下側のウェル下部３２２よりも内径が大きくなっている。また、ウェル上部３２１及びウェル下部３２２は同心状となっている。そして、ウェル上部３２１の底面３２１ａ内に、ウェル下部３２２の開口部３２２ｃが配置されており、ウェル上部３２１の側面３２１ｂは、前記底面３２１ａを介してウェル下部３２２の側面３２２ｂに連接されている。
ウェル上部３２１では、底面３２１ａから開口部３２１ｃへ向けて漸次内径が拡大されている。同様に、ウェル下部３２２では、底面３２２ａから開口部３２２ｃへ向けて漸次内径が拡大されている。そして、前記底面３２１ａの直径Ｄ３２１ａは、前記開口部３２２ｃの開口径Ｄ３２２ｃよりも大きくなっている。
【００３３】
ウェル下部３２２の底面３２２ａの大きさ及び形状は、第一の実施形態における底面１２ａと同様で良い。
また、容器３のうち、前記底面３２２ａにおける厚みＴ３２は、第一の実施形態におけるＴ１２と同様である。さらに、平坦面３３における厚みＴ３３は、第一の実施形態におけるＴ１１と同様である。
ウェル上部３２１の高さＨ３２１と、ウェル下部３２２の高さＨ３２２との比は、特に限定されず、目的に応じて適宜選択すれば良い。
ウェル上部３２１及びウェル下部３２２は互いに相似形でも良いし、異なる形状でも良い。
このように、ウェルを、略円錐台形状の凹部が二つ積重ねられた形状とすることで、ウェルへ充填するサンプルの量を幅広く設定することが可能となる。例えば、ウェル上部を設け、その開口部の面積を拡大することで、第一の実施形態のウェルよりも、充填可能なサンプル量を増量できる。一方、ウェル下部を設け、その底面の面積を縮小することで、第一の実施形態のウェルよりも、充填可能なサンプル量が少なくなるが、微量なサンプルを局所的に集液することで、解析を容易に行うことができる。
【００３４】
上記の点以外は、容器３は、第一の実施形態と同様である。
【００３５】
（第四の実施形態）
図５は、本発明の第三の実施形態に係る容器を例示する拡大断面図である。
ここに示す容器４は、ウェル４２の側面４２１ｂ、４２２ｂ、底面４２１ａと、ウェル４２が設けられていない平坦面４３に沿って、その厚みが第三の実施形態よりも薄くされたものである。そして、ウェル４２の形状及び大きさは、第三の実施形態と同様である。
容器４のうち、ウェル下部４２２の底面４２２ａにおける厚みＴ４２２ａは、第一の実施形態におけるとＴ１２と同様である。
また、前記平坦面４３における厚みＴ４３、ウェル上部４２１の側面４２１ｂにおける厚みＴ４２１ｂ、底面４２１ａにおける厚みＴ４２１ａ、ウェル下部４２２の側面４２２ｂにおける厚みＴ４２２ｂは、いずれも特に限定されるものではなく、目的に応じて適宜設定すれば良い。ただし、容器４の強度及び取り扱い性を考慮すると、前記Ｔ４２２ａよりもやや厚めに設定することが好ましく、第二の実施形態におけるＴ２３等と同様であることが好ましい。また、前記Ｔ４２１ａ、Ｔ４２１ｂ及びＴ４２２ｂは、必ずしもすべて同じである必要性はないが、すべて同じである方が容器４を容易に製造できる点で好ましい。
容器４は、Ｔ４３が薄いため、第三の実施形態における容器３よりも熱伝導性に優れる。したがって、平坦面４３と、ウェル４２の底面側外表面４４との間の距離（すなわち、容器４の平坦面４３における高さ）Ｈ４３は、第二の実施形態におけるＨ２３と同様であることが好ましい。このような範囲とすることにより、解析精度及び取り扱い性が一層向上する。
【００３６】
本発明の容器は、上記第一〜第四の実施形態として示したいずれかの容器に限定されるものではなく、本発明の効果を損なわない範囲内で、一部構成の変更、追加又は省略が適宜可能であることは言うまでもない。
例えば、ウェルの形状は略円錐台形状以外でも良く、さらに、底面から開口部へ向けて漸次内径が拡大されていなくても良い。ただし、底面の面積は開口部の面積に対して同等以下であることが好ましい。また、ウェルの底面と開口部の開口面とは必ずしも同心状でなくても良い。
また、隣り合うウェル同士は、前記Ｘ軸方向及びＹ軸方向において、底面の中心部間の距離がすべて同じでなくても良い。
また、第三及び第四の実施形態のように、ウェルが上部及び下部の二つの部位に分けられる場合には、上部及び下部は必ずしも同心状でなくても良い。
そして、ウェルの数は目的に応じて設定すれば良く、一つ以上であればいずれでも良い。例えば、一列あたりのウェルの数や、一容器あたりのウェルを並設した列の数も、適宜調整すれば良い。ただし、効率的に解析を行うために、ウェルの数は多いほど好ましい。ウェルの数を増やすことで、ハイコンテンツスクリーニング（ＨＣＳ）のような、多数の検体の解析も容易に行うことができる。
【００３７】
本発明の容器は、射出成型法、インサート成形法等、公知の方法で所望の形状に成型することで得られる。また、例えば、特に第二及び第四の実施形態のように、全体の厚みが薄い容器の場合には、上記方法に加え、所定の型の上に加熱して軟化させたシート状の材料を載置し、型とシートとの間を減圧することでシートを型に圧着させて成型する、所謂真空法によっても好適に得られる。なかでも本発明においては、インサート成形法が特に好ましい方法として挙げられる。
一方、本発明の容器を装着するアダプターは、容器の形状を考慮して設計し、例えば、射出成型等、公知の方法で成型した部材同士を接着したり、所定の成型品に対して適宜打ち抜き、切削等、公知の手法で加工を行うなど、種々の方法で作製できる。
【００３８】
本発明の解析用容器は、そのウェル内に充填した液体の蒸発を防止する手段を適用するのにも好適である。蒸発を防止する手段は特に限定されないが、ウェルの開口部をシールで封止したり、ウェル内の液体の露出面をオイルで被覆する方法が好ましい。
シールやオイルは、目的に応じて適宜選択すれば良い。例えば、ポリメラーゼ連鎖反応（ＰＣＲ）法をはじめとする核酸増幅反応等、加熱操作を必要とする場合には、耐熱性を有するものを使用することが好ましい。また、細胞イメージングや蛍光検出等の光学的な解析を容器の表面側から行う場合には、低自家蛍光で透明なものを使用することが好ましい。このように蒸発を防止することで、一層高精度に解析できる。
さらにシールは、ウェルの開口部を封止する部位において、ウェル側の面とその反対側の面の両面がともに平坦である部位を有することが好ましく、該平坦部位の面積が広いほど好ましい。このようにすることで、容器の表面側からの光学的解析を、一層高精度に行うことができる。
透明でかつ前記平坦部位を有するシールとしては、好ましい市販品として、アブソリュートＱＰＣＲシール（ＡＢｇｅｎｅ社製）、リアルタイムＰＣＲ用プレートシール（株式会社ベックス製）等が例示できる。
【００３９】
本発明によれば、微量な検体を対象に、測光操作を伴う光学的な解析と、核酸増幅等の大きな温度変化を伴う解析とを、各解析間で検体の移液操作や分注操作を行うことなく、同一ウェル中で連続的に行うことができる。そして本発明は、例えば、細胞イメージング、核酸増幅及び蛍光検出を必須の工程として含む一種以上の解析を行うのに特に好適である。これは、容器のウェル底面における厚み及びウェル底面の面積として、特に最適な範囲の組み合わせを見出し、さらに、容器の材質、ウェルの底面及び側面の材質を限定することで達成されたものである。
このように、複数種類の解析を、同一ウェル中で連続的に行うことで、解析工程を簡略化できる。また、複数種類の種々の解析を複合化して行うことができるので、従来よりも高度な解析が可能となる。
また、容器を透明な材質からなるものとすれば、アダプターの装着の有無によらず、容器の表面及び裏面のいずれからも光シグナルを検出でき、光学的な解析が可能となる。
【実施例】
【００４０】
以下、具体的実施例により、本発明についてさらに詳しく説明する。ただし、本発明は、以下に示す実施例に何ら限定されるものではない。
（実施例１）
図１に示す本発明の容器１を使用して、以下の手順に従って解析を行った。なお、容器１としては、大きさが７５．６ｍｍ×２５ｍｍ、厚みＴ１３が３ｍｍ、ウェル２底面の面積が０．８ｍｍ２、ウェル２底面における厚みＴ１２が０．１９ｍｍ、材質がシクロオレフィン系樹脂（ゼオネックス（登録商標）、日本ゼオン株式会社製）であるものを使用した。
【００４１】
（Ｉ）細胞変性効果（ＣＰＥ）の確認
（１）本発明の容器のウェル中でＧＮＫ細胞を成育させ、次いでＧＮＫ細胞にエンテロウィルス（Ｅｃｈｏ９）を接種して３３℃で培養を行ったものと、エンテロウィルス（Ｅｃｈｏ９）を接種せずに３３℃で培養を行ったものをそれぞれ調製した。
（２）培養後の前記容器をそれぞれ倒立顕微鏡に設置して、容器の裏面側からＣＰＥを確認した。
その結果、図６に示す通り、前記エンテロウィルスを接種したものとしていないものとでＧＮＫ細胞の形状が異なり、ＣＰＥを明確に確認できた。なお、図６はこの時の倒立顕微鏡での観察画像の撮像データであり、（ａ）はエンテロウィルスを接種していないもの、（ｂ）はエンテロウィルスを接種したものの撮像データである。
【００４２】
（ＩＩ）核酸増幅反応及び蛍光強度の検出
Ａｐｐｌｉｅｄ  Ｂｉｏｓｙｓｔｅｍｓ社製のＴａｑ  Ｍａｎ  Ｇｅｎｅ  Ｅｘｐｒｅｓｓｉｏｎ  Ｃｅｌｌ−ｔｏ  Ｃｔ  Ｋｉｔ（商品名）と、前記（Ｉ）でＣＰＥを確認したＧＮＫ細胞を使用して、以下の手順に従ってリアルタイムＰＣＲ解析を行った。なお、ここでは、ＣＰＥが確認された細胞が存在しなかったサンプル、ＣＰＥが確認された細胞数の少ないサンプル、ＣＰＥが確認された細胞数の多いサンプルをそれぞれ使用して解析を行った。
（１）ウェルにＰＢＳを５μｌ分注して洗浄し、その後ＰＢＳを除去して細胞を洗浄した。
（２）洗浄後、ウェルにＬｙｓｉｓ  Ｓｏｌｕｔｉｏｎを５μｌ加えてピペッティングを５回行い、次いで、蒸発防止用のオイルを２μｌ分注して、室温で５分間インキュベートを行い、細胞を溶解させた。
（３）溶解後、ウェルにＳｔｏｐ  Ｓｏｌｕｔｉｏｎを０．５μｌ加えてピペッティングを５回行い、次いで室温で２分間インキュベートを行って細胞の溶解を停止させた。
（４）溶解停止後、ライセートを４．５μｌ抜き取ってウェル中に分注し、分注したウェルに、以下に示す組成の逆転写用のＰｒｅ−Ｍｉｘｔｕｒｅを４μｌ加えた。
（Ｐｒｅ−Ｍｉｘｔｕｒｅ）
２×ＲＴ  Ｂｕｆｆｅｒ：２．５０μｌ
２０×ＲＴ  Ｅｎｚｙｍｅ  Ｍｉｘ：０．２５μｌ
Ｎｕｃｌｅａｓｅ−ｆｒｅｅ  Ｗａｔｅｒ：１．２５μｌ
計：４．００μｌ
（５）（４）で調製した液と、以下の温度条件をプログラムした装置を使用して逆転写反応を行い、ｃＤＮＡを得た。
（温度条件）
３７℃／６０分→９５℃／５分→４℃／終了
（６）逆転写反応後のｃＤＮＡを含む液を３μｌ抜き取ってウェル中に分注し、分注したウェルに、以下に示す組成のＰＣＲ  Ｃｏｃｋｔａｉｌを８μｌ加えた（「Ｔａｑ  Ｍａｎ  ｇｅｎｅ  Ｅｘｐｒｅｓｓｉｏｎ  Ａｓｓａｙ」は別途準備した）。
（ＰＣＲ  Ｃｏｃｋｔａｉｌ）
Ｔａｑ  Ｍａｎ  ｇｅｎｅ  Ｅｘｐｒｅｓｓｉｏｎ  Ｍａｓｔｅｒ  Ｍｉｘ：５．０μｌ
Ｔａｑ  Ｍａｎ  ｇｅｎｅ  Ｅｘｐｒｅｓｓｉｏｎ  Ａｓｓａｙ：０．５μｌ
Ｎｕｃｌｅａｓｅ  ｆｒｅｅ  Ｗａｔｅｒ：２．５μｌ
計：８．０μｌ
（７）アブソリュートＱＰＣＲシール（ＡＢｇｅｎｅ社製）でウェルの開口部を封止し、（６）で調製した液の蒸発を防止して、以下の温度条件をプログラムした装置を使用して、ＰＣＲを行った。
５０℃／２分→９５℃／１０分→（９５℃／１５秒→６０℃／１分）×５０サイクル
（８）ＰＣＲ中の各サイクル６０℃の工程において、容器の表面側から励起光を照射して、ＣＣＤカメラにて撮像を行った。
（９）カイネティックコンピュータを使用して、（８）で得られた撮像データにおける各反応領域の蛍光強度を算出した。なお、蛍光試薬はＴａｑ  Ｍａｎ  ｇｅｎｅ  Ｅｘｐｒｅｓｓｉｏｎ  Ａｓｓａｙに含まれていたものである。算出結果を図７に示す。図７中、縦軸は蛍光強度（ΔＲｎ）、横軸はサイクルを示す。
【００４３】
ＰＣＲ中、本発明の容器において変形や剥離は生じず、図７に示すデータが取得できた。
図７から明らかなように、ＣＰＥが確認された細胞が存在しなかったサンプル（図６中の「ＣＰＥなし」）では、蛍光強度の増幅が見られなかった。また、ＣＰＥが確認された細胞数の少ないサンプル（図６中の「ＣＰＥ少量」）に比べ、ＣＰＥが確認された細胞数の多いサンプル（図６中の「ＣＰＥ多量」）は、蛍光強度増幅の立ち上がりが早かった。すなわち、エンテロウィルスの量と核酸増幅速度とは比例関係にあることが確認された。
【００４４】
（比較例１）
本発明の容器の代わりに、ウェルの底面が平坦であり、ウェルの底面及び側面の材質が異なり、ウェルの底面における厚みが１７５μm±２０μｍ、ウェルの底面の面積が１０．２４ｍｍ２であるガラスボトムプレート（オリンパス株式会社製）を使用したこと以外は、実施例１と同様に、ＣＰＥの確認、核酸増幅反応及び蛍光強度の検出をそれぞれ試みた。
その結果、実施例１と同様に、エンテロウィルスを接種したものとしていないものとでＧＮＫ細胞の形状が異なり、ＣＰＥを明確に確認できた。
しかし、ＰＣＲ中にウェルの底面と側面との接着面が剥離し、反応試薬が漏れ出した。したがって、蛍光強度の検出を行うことができなかった。
【００４５】
（比較例２）
本発明の容器の代わりに、ウェルの底面及び側面の材質が同じであり、ウェルの底面における厚みが０．３ｍｍ以上（約０．５ｍｍ）であり、該底面が曲面であるＰＣＲ用プレート（ＡＢｇｅｎｅ社製）を使用したこと以外は、実施例１と同様に、ＣＰＥの確認を試みた。
しかし、ＰＣＲ用プレートは底面の厚みが厚い上に底面が平面ではないため、エンテロウィルスによるＣＰＥの確認だけでなく、エンテロウィルスを接種していないＧＮＫ細胞の確認も行うことができなかった。
【００４６】
以上の結果より、ガラスボトムプレートは耐熱性が低いため、ＰＣＲへの使用には不適であること、ＰＣＲ用プレートは細胞観察等のイメージングには不適であることがそれぞれ確認できた。一方、本発明の容器は、細胞イメージング、蛍光強度検出等の光学的解析で必要とされる光学特性と、ＰＣＲで必要とされる耐熱性とを兼ね備えていることが確認できた。
【００４７】
（実施例２）
実施例１と同様の容器を使用して以下の手順に従い、蛍光相関分析を行った。
（Ｉ）測定方法
（１）本発明の容器に、濃度が１ｎＭ（１×１０−９ｍｏｌ／Ｌ）であるＴＡＭＲＡ（蛍光色素）の溶液を分注し、プレートシールにより蒸発を防止した。
（２）蛍光相関分析装置ＭＦ２０（オリンパス株式会社製）を使用して、以下の条件により、容器の裏面側から蛍光を検出して測定を行った。
メソッド：ＦＣＳ
レーザー波長：５４３ｎｍ
出力：２５０μＷ
測定時間：１０秒×１０回
【００４８】
測定結果を表１に示す。表１中、「Ｄｉｆｆ．Ｔｉｍｅ」は、１ｆＬ（１×１０−１５Ｌ）の溶液中を横切る分子の並進拡散時間を、「ＣＰＰ」は分子1個辺りの輝度を、「Ｐａｒｔｉｃｌｅ」は１ｆＬ中の分子数を、そして「Ｃｏｕｎｔ  ｒａｔｅ」は総輝度（すなわち、「ＣＰＰ」×「Ｐａｒｔｉｃｌｅ」）をそれぞれ表す。
【００４９】
（比較例３）
本発明の容器の代わりに、蛍光相関分析装置ＭＦ２０専用の容器で、比較例１と同様のガラスボトムプレートを使用したこと以外は、実施例２と同様に、蛍光相関分析を試みた。測定結果を表１に示す。
【００５０】
（比較例４）
本発明の容器の代わりに比較例２と同様のＰＣＲ用プレートを使用したこと以外は、実施例２と同様に、蛍光相関分析を試みた。測定結果を表１に示す。
【００５１】
表１から明らかな通り、実施例２及び比較例３では、同等の分析結果が得られ、本発明の容器が、従来の蛍光相関分析装置や蛍光相関相互分析装置を使用する分析にも好適に使用できること、さらに前記装置専用の容器と同等の光学特性を併せ持っていることが確認できた。一方、ＰＣＲ用プレートは底面が厚いだけでなく光学特性にも劣るため、蛍光相関分析を行うことができなかった。
【００５２】
【表１】
2010032487.tif 000003
【産業上の利用可能性】
【００５３】
本発明は、細胞レベルでゲノム、タンパク質、糖鎖等に関して包括的に解析するシステムバイオロジーの研究に利用可能である。
【符号の説明】
【００５４】
１，２，３，４・・・解析用容器，１２，２２，３２，４２・・・ウェル、１２ａ，２２ａ・・・ウェル底面、１２ｂ，２２ｂ・・・ウェル側面、１２０・・・ウェル底面の中心、３２１，４２１・・・ウェル上部、３２１ａ，４２１ａ・・・ウェル上部の底面、３２１ｂ，４２１ｂ・・・ウェル上部の側面、３２２，４２２・・・ウェル下部、３２２ａ，４２２ａ・・・ウェル下部の底面、３２２ｂ，４２２ｂ・・・ウェル下部の側面
【図１】
2010032487.tif 000004
【図２】
2010032487.tif 000005
【図３】
2010032487.tif 000006
【図４】
2010032487.tif 000007
【図５】
2010032487.tif 000008
【図６】
2010032487.tif 000009
【図７】
2010032487.tif 000010